(57)【要約】【課題】  高さ調整及び取り付けが容易で、かつ高い意匠性を備えるダクト被い部材を提供する。【解決手段】  排気ガスを誘導する排気ダクト３００を外部から隠すために取り付けられるダクト被い部材１００であって、所定幅の隙間２を介して上下方向に連続して配置される複数のフレーム片１からなるフレーム部１０と、その隙間２に設けられて隣接するフレーム片１を連結する切断可能な連結部３とを備えて構成されており、所定位置の連結部３を切断することでフレーム部１０の大きさを排気ダクト３００の形状に合わせることができる。【選択図】  図１
2006275407.tif 000002
【特許請求の範囲】
【請求項１】
排気ガスを誘導する排気ダクトを外部から隠すために取り付けられるダクト被い部材であって、
このダクト被い部材は、所定幅の隙間を介して連続して配置される複数のフレーム片からなるフレーム部と、その隙間に設けられて隣接する前記フレーム片を連結する切断可能な連結部とを備えて構成されており、
所定位置の前記連結部を切断することで前記フレーム部の大きさを前記排気ダクトの形状に合わせることができることを特徴とするダクト被い部材。
【請求項２】
前記連結部は、隣接する前記フレーム部との間の前記隙間に、少なくとも３以上形成される請求項１に記載のダクト被い部材。
【請求項３】
前記排気ダクトは、壁面に沿って設けられ、前記フレーム部は、その排気ダクトを外側から被いつつ、そのフレーム部の両端部が壁面と接触する形で配置される請求項１又は２に記載のダクト被い部材。
【請求項４】
前記フレーム部は、正面側が平面視半円形状をなす曲面をなして形成され、側面側が前記曲面から連続して前記壁面に向けて形成され、その側面側の両端部が対面して形成される請求項３に記載のダクト被い部材。
【請求項５】
前記壁面には固定具が固定されており、
前記フレーム部の前記両端部には、前記フレーム部に囲われる内側空間側に延び、前記壁面と面接触する壁面接触部が形成され、最上部をなす前記フレーム片の前記両端部には、その上側において前記内側空間側に延び、前記固定具の上面と接触する上側接触部が形成されており、
前記固定具と前記壁面との間で前記壁面接触部が挟持され、かつ前記固定具上に載置させることで、前記壁面に対して取り付けられる請求項３又は４に記載のダクト被い部材。
【請求項６】
請求項１又は２に記載のダクト被い部材の前記フレーム部の端部が、異なる前記ダクト被い部材の端部と連結可能に構成され、複数の前記ダクト被い部材を連結することで、前記排気ダクトを被うダクト被い部材。
【請求項７】
前記フレーム部は、正面側が平面視半円形状をなす曲面をなして突出して形成され、その曲面から連続して形成される両側面側が対面して形成された前記ダクト被い部材を２つ用い、互いの端部を連結することで前記排気ダクトの全周を囲う請求項６に記載のダクト被い部材。
【発明の詳細な説明】
【技術分野】
【０００１】
本発明は、レンジフードから壁面に延びる排気ダクトを被うダクト被い部材に関する。
【背景技術】
【０００２】
従来のレンジフードにおいて、煙吸引部から吸い上げた煙を外部に導くために設けられる排気ダクトは、フード内部に設けられて、外部に対して露出しないように配置される、あるいは人の目の届かない位置、例えばレンジフード上部の天井近傍等に配置されることが多い（特許文献１参照）。
【０００３】
【特許文献１】特開平１０−３０６９３８号公報
【発明の開示】
【発明が解決しようとする課題】
【０００４】
ところが、近年のレンジフードは意匠性が重視される傾向にあり、例えば、全体をすっきりとしたシンプルな形状に見せるために、レンジフード本体の大きさをコンパクトにする等、様々な形状が提案されている。全体をコンパクトにする場合には、排気ダクトを被う部材等を廃止して排気ダクトをあえて外に見せる意匠とすることで実現することもできるが、排気ダクトには断熱材が巻かれるような場合もあるため、意匠性を考慮すれば、排気ダクトは被われて外部に対して隠されていることが望ましい。
【０００５】
しかしながら、排気ダクトは、レンジフードの配置される室内形状、例えば天井の高さや壁面への抜け方向等に依存して高さや形状が異なるため、排気ダクトを被うための部材は、それらの高さや形状に応じて個別に製造される、あるいは取り付け作業現場で適する形状に加工される必要があった。
【０００６】
本発明は、上記課題に鑑みてなされたものであり、高さ調整及び取り付けが容易で、かつ高い意匠性を備えるダクト被い部材を提供するものである。
【課題を解決するための手段および発明の効果】
【０００７】
上記課題を解決するために、本発明のダクト被い部材は、排気ガスを誘導する排気ダクトを外部から隠すために取り付けられるダクト被い部材であって、所定幅の隙間を介して連続して配置される複数のフレーム片からなるフレーム部と、その隙間に設けられて隣接するフレーム片を連結する切断可能な連結部とを備えて構成されており、所定位置の連結部を切断することでフレーム部の大きさを排気ダクトの形状に合わせることができることを特徴とする。
【０００８】
排気ダクトの高さは、天井の高さやレンジフードの配置高さに応じて異なるが、上記構成のダクト被い部材によれば、例えばフレーム部が上下方向に連続するフレーム片にて形成されている場合、連結部を切断することで上下に分離することで、フレーム部の高さを短く調整することができるため、実際に排気ダクトを配設する組み付け現場でにおいて、ダクト被い部材の高さを容易に調整することができる。また、隙間を介して連続して配置されるフレーム片も独特な意匠性を備えるとともに、このダクト被い部材は、基本的に人の目線より上に設けられるため、人が斜め下方向からこれを見たときには、各フレーム片の厚みによってフレーム片間の隙間から内部の排気ダクトを見ることは困難となる。また、複数のフレームの連続配置による特徴的な意匠性を備えることもできる。
【０００９】
連結部は、隣接するフレーム部との間の隙間に、少なくとも３以上形成されるものであってもよい。排気ダクトを取り囲む立体形状を有する上記のダクト被い部材は、少なくとも３点以上の連結部によって上下のフレーム片が連結されることで、それらの連結強度を保つことができる。
【００１０】
排気ダクトは、壁面に沿って設けられ、フレーム部は、その排気ダクトを外側から被いつつ、そのフレーム部の両端部が壁面と接触する形で配置されるものであってもよい。排気ダクトは壁面に沿って設けられることが多く、この場合、ダクト被い部材の両端部を壁面と接触する形で配置して、内部の排気ダクトを外部から隠すことができる。また、両端部が壁面と面接触することで安定して固定できる。
【００１１】
フレーム部は、正面側が平面視半円形状をなす曲面をなして形成され、側面側がその曲面から連続して壁面に向けて形成され、その側面側の両端部が対面して形成されるものであってもよい。フレーム片の中間部に折り曲げによるラインなどが表れないため、全体に丸みを帯びた意匠性を付与することができる。また、曲面部分を起点に両端部を広げて配置することも可能となる。
【００１２】
また、本発明のダクト被い部材は、壁面には固定具が固定されており、フレーム部の両端部には、フレーム部に囲われる内側空間側に延び、壁面と面接触する壁面接触部が形成され、最上部をなすフレーム片の両端部には、その上側において内側空間側に延び、固定具の上面と接触する上側接触部が形成されており、固定具と壁面との間で壁面接触部が挟持され、かつ固定具上に載置させることで、壁面に対して取り付けられるものであってもよい。
【００１３】
上記構成によれば、壁面に固定された固定具にフレーム片の両端部の壁面接触部を挟み込んで、横方向の位置を固定して、さらに固定部の上面側に上側接触部を載せることで、上下方向の位置を固定するだけで、壁面に対して容易に取り付けることができる。
【００１４】
また、本発明のダクト被い部材では、そのダクト被い部材のフレーム部の端部が、異なるダクト被い部材の端部と連結可能に構成され、複数のダクト被い部材を連結することで、排気ダクトを被うものであってもよい。壁付け型のレンジフードではなく、例えば、天井吊型のレンジフード等のように室内の壁面に支持されないレンジフードの場合は、排気ダクトは天井側に抜けるように構成される。この場合、壁面を利用して排気ダクトを被うことはできない。こうした場合は、複数のダクト被い部材のフレーム部の端部を連結していくことで、ダクト被い部材の全周を囲い、排気ダクトを隠すことができる。
【００１５】
また、この場合、フレーム部は、正面側が平面視半円形状をなす曲面をなして突出して形成され、その曲面から連続して形成される両側面側が対面して形成されたダクト被い部材を２つ用い、互いの端部を連結することで排気ダクトの全周を囲うものとすることができる。これにより、２つのダクト被い部材を用いるだけで排気ダクトの全周を容易に囲うことができる。また、フレーム部が排気ダクト周りを一周するような、全体が楕円形状や円形状などのような略円形状をなす特徴的な形状で形成されるため、意匠性が増す。
【発明を実施するための最良の形態】
【００１６】
以下、本発明のダクト被い部材を図面を用いて説明する。図１は、本発明のダクト被い部材の一実施例を示す斜視図であり、図３はその背面図、図４は図３のＡ−Ａ断面図である。図１のダクト被い部材１００は、幅５ｍｍの隙間２を介して上下方向に連続して配置される複数のフレーム片１からなるフレーム部１０と、隙間２に設けられて隣接するフレーム片１を連結する連結部３とを備えるとともに、その連結部３の幅は３ｍｍとして形成され、容易に切断可能となっている。これにより、図２に示すように、連結部３を切断することで上下方向に連続するフレーム片１を上下に分離して、高さの低いダクト被い部材１００´を形成することができる。なお、フレーム片１は、横方向に連続するように形成されていてもよく、この場合は、連結部の切断によって、横方向の長さを調整することが可能となる。
【００１７】
フレーム部１０は、図４に示すように、正面部１０ａが平面視半円形状をなすように曲面をなして突出して形成され、その曲面から連続して形成される両側面部１０ｂが対面して形成される。その両側面部１０ｂの先には、互いに接近する方向に折れ曲がって延びる折れ曲がり部（壁面接触部）１０ｃが形成され、その折れ曲がり部１０ｃの先端は、図４に示すように、フレーム部１０が囲う内部空間側に折り返された折り返し部１０ｄとして形成されている。なお、本発明における両端部とは、側面部１０ｂ及び折れ曲がり部１０ｃに相当する。また、本発明のフレーム部は、少なくとも排気ダクトを被うことができる形状であればよく、必ずしも正面部１０ａが平面視半円形状をなすように形成される必要はない。例えば、正面部１０ａの平面視が矩形状や、多角形を切断した形状をなして形成されていてもよい。
【００１８】
連結部３は、隣接するフレーム片１の間の隙間２に形成され、双方のフレーム片１を一体に連結する。本実施例においては、正面部１０ａと、両側面部１０ｂと、両折り返し部１０ｄの５箇所に形成されている。なお、本発明において、連結部３は、隙間２ごとに少なくとも３以上形成されていれば、ダクト被い部材１００におけるフレーム片１の連結強度を十分に確保することができる。
【００１９】
最上部をなすフレーム部の側面部１０ｂと折れ曲がり部１０ｃとからなる角部には、その上側においてフレーム部１０に囲われる内側空間側、すなわち正面側に延びる上面角部（上側接触部）４が形成される。
【００２０】
このダクト被い部材１００は、ステンレス板材に対して、隙間２を形成する切削加工や、正面部１０ａ・折れ曲がり部１０ｃ・折り返し部１０ｄ・上面角部４等を形成する曲げ加工を施すことで形成される。なお、本発明のダクト被い部材の材料はステンレスに限られるものではないが、望ましくは、キッチンに多く使用される材料で形成され、さらには厨房台や収納具等と特徴的な意匠をそろえて形成されることで、キッチン全体に統一感のある意匠性を付与することができる。
【００２１】
このダクト被い部材１００は、壁面や天井に向けて延びる排気ダクトの外周を囲って、その排気ダクトを外部から隠すために取り付けられる。この実施例における排気ダクトは、図５、図６、及び図７に示すように、壁面２００に組み付けて使用するものである。なお、図５は、本実施例のダクト被い部材１００の底面図であり、図６は図５のＢ−Ｂ断面図である。
【００２２】
これらの図に示す排気ダクト３００は、壁面２００に近接し、壁面２００に沿って上方向に延び、その先で壁面側に向かって延びて配設されている。この場合、壁面２００には、ねじやビス等の締結部材５０によって固定具２０が固定されている。フレーム部１０の折れ曲がり部１０ｂは、固定具２０と壁面２００との間で挟持され、これらと面接触して配置される。また、最上部をなすフレーム片１の側面部１０ｂと折れ曲がり部１０ｃとからなる角部の上側を被って形成される上面角部４は、その下面を固定具２０の上面に接触させて配置される。すなわち上面角部４を固定具２０に載せる形で配置される。これにより、ダクト被い部材１００は、固定具２０に引っかけられた形で壁面２００に対して固定される。
【００２３】
図７はそのダクト被い部材１００をレンジフード４００上に配置した状態を示している。この図におけるレンジフード４００は、天板上面に加熱機器５０１を備えるような厨房台５００の上方に配置されて、加熱機器５０１での調理中に発生する煙を吸引する。このレンジブード４００は、グリスフィルター等の煙吸引部を備えるフード本体４０１と、煙を吸引するファンやそのファンを駆動する吸引駆動部４０３を内蔵する駆動装置収納部４０２とからなり、その駆動装置収納部４０２の内部にはダクト連結部４０３を備え、このダクト連結部４０４に外部へ煙を逃がすための排気ダクト３００が連結されている。排気ダクト３００は、駆動装置収納部４０２の上面側から外部に表れ、その先端が壁面２００に向けて延びて構成される。この排気ダクト３００に対して、これを正面側から被うように本発明のダクト被い部材１００が配置される。これにより、少なくとも人の目線から見た場合に、正面及び両側面側から排気ダクトが見えることがなくなるため、レンジフード全体の意匠性、ひいてはキッチン全体の意匠性を損なうことがない。
【００２４】
次に、このダクト被い部材１００の壁面への取付方法について、図８及び図９を用いて説明する。まず、固定具２０を締結部材５０によって壁面２００に固定する。この固定具２０は、双方が接近する方向とは逆側（外側）に隙間２１を備える形状をなして壁面２００に固定されており、この隙間２１に対して、ダクト被い部材１００の折れ曲がり部１０ｃを挿入する。挿入する際には、両側面部１０ｂを曲面をなす正面部１０ａをヒンジ部として図８の（ａ）に示すように外側に広げ、弾性復帰させる形で外側から隙間２１に嵌め込む。隙間２１に折れ曲がり部１０ｃが挿入されると、図９の（ａ）に示すような状態となる。そして、図９の（ａ）の状態にあるダクト被い部材１００の折れ曲がり部１０ｃを、固定部２０と壁面２００との間の隙間２１の沿って滑らせる形で下方に移動させ、上面角部４の下面が固定具２０の上面と接触させる。これにより、ダクト被い部材１００は、固定具２０の上面に上面角部４が載ることで下方に落ちないように支持され、かつ折れ曲がり部１０ｃが隙間２１に挿入されていることで横方向への抜けが遮られた状態となる。この取付方法によれば、固定具２０と壁面２００との間の隙間に折れ曲がり部１０ｃを挿入し、上面角部４を固定具の上面側に接触させるだけで、壁面２００に容易に取り付けることができる。また、このとき折れ曲がり部１０ｃには折り返し部１０ｄが形成されているため、折れ曲がり部１０ｃの厚みが増し、固定具２０と壁面２００との間の隙間に対して強固に固定できる。また、折り返し部１０ｃの端部が曲面形状をなすため、その端部が固定具２０に接触した際に傷等を与えることがない。
【００２５】
以下、上記実施例とは異なる実施例について説明する。なお、同様の部分については、同符号を付することで説明を略する。本発明のダクト被い部材は、上記実施例とは異なる平面視形状をなして構成されていてもよい。例えば、図１０のように平面視半円形状のフレーム部１１を備えるダクト被い部材１０１とすることができる。この場合、正面部１１ａの両端を両側面部１１ｂとして備える構造となる。また、図１１のように平面視が円弧状をなすフレーム部１２を備えるダクト被い部材１０２とすることもできる。この場合、正面部１２ａの両端を両側面部１２ｂとして備える構造となる。
【００２６】
また、図１２及び図１３に示すように、複数のフレーム部を連結して排気ダクトを囲むように形成してもよい。厨房台がキッチンフロアの中央に配置され、壁面などと接触しないような場合には、排気ダクトは天井に接続される形状となる。この場合、排気ダクトを被うダクト被い部材は、排気ダクトの外周全周にわたって囲むように形成される必要がある。図１２では、図１のフレーム部１０と類似の形状を有するのフレーム部１３と連結部３とからなるダクト被い部材１０３を、それぞれの折れ曲がり部１３ｃを面接触させてボルト及びナット等の締結部材５１で連結し、排気ダクト３００を被っている。これにより、平面視楕円形状をなして排気ダクト３００が被われる。図１３では、図１０のフレーム部１１と類似の形状を有するのフレーム部１４と連結部３とからなるダクト被い部材１０３を、それぞれの折れ曲がり部１４ｃを面接触させてボルト及びナット等の締結部材５１で連結し、排気ダクト３００を被っている。これにより、平面視円形状をなして排気ダクト３００が被われる。なお、図１２及び図１３に示すフレーム部１３，１４は、上記実施例のような上面角部を必ずしも必要とせず、折れ曲がり部の折り返し（図示なし）も必ずしも必要ない必要としない。折れ曲がり部１３ｃ、１４ｃは、他のもう一方のダクト被い部材１０３，１０４の折れ曲がり部１３ｃ、１４ｃと面接触可能であれば良い。また、連結されるダクト被い部材は必ずしも２つである必要は無く、３以上を連結してダクトを被っていてもよい。なお、図１０〜１３に示すフレーム部１１，１２，１３，１４は、図１の実施例と同様に、複数のフレーム片が連結部３によって連結され、フレーム片間は所定幅の隙間を有して形成されている。
【００２７】
以上、本発明の実施例を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【００２８】
【図１】本発明のダクト被い部材の一実施例を示す斜視図。
【図２】図１のダクト被い部材の高さ調整を説明する図。
【図３】図１のダクト被い部材の背面図。
【図４】図３のＡ−Ａ断面図。
【図５】図１のダクト被い部材の使用状態を説明する第一の図。
【図６】図１のダクト被い部材の使用状態を説明する第二の図。
【図７】図１のダクト被い部材をレンジフード上に配置した状態を示す図。
【図８】本発明のダクト被い部材の取付方法を説明する図。
【図９】図８に続く図。
【図１０】本発明のダクト被い部材の第二の実施例を示す図。
【図１１】本発明のダクト被い部材の第三の実施例を示す図。
【図１２】複数のダクト被い部材の連結により排気ダクトを被う第一の実施例を示す図。
【図１３】複数のダクト被い部材の連結により排気ダクトを被う第二の実施例を示す図。
【符号の説明】
【００２９】
１００，１０１，１０２，１０３，１０４  ダクト被い部材
１  フレーム片
１０，１１，１２，１３，１４  フレーム部
２  隙間
３  連結部
４  上面角部（上側接触部）
１１  正面部  
１２  側面部
１３  折れ曲がり部（壁面接触部）
１４  折り返し部
２０  固定具
５０，５１  締結部材
２００  壁面
３００  排気ダクト
４００  レンジフード
【図１】
2006275407.tif 000003
【図２】
2006275407.tif 000004
【図３】
2006275407.tif 000005
【図４】
2006275407.tif 000006
【図５】
2006275407.tif 000007
【図６】
2006275407.tif 000008
【図７】
2006275407.tif 000009
【図８】
2006275407.tif 000010
【図９】
2006275407.tif 000011
【図１０】
2006275407.tif 000012
【図１１】
2006275407.tif 000013
【図１２】
2006275407.tif 000014
【図１３】
2006275407.tif 000015